(57)【要約】【課題】開口枠及び内壁面材の両方を柱に好適に固定することができる壁構造を提供する。【解決手段】外壁部１１は、内壁パネル３２を有している。内壁パネル３２は、内壁面材４１と内壁下地４２とを有しており、内壁下地４２は、ランナ４３〜４８及びスタッド５７，５８を有している。外壁部１１には、窓部１２が形成されており、窓部１２には窓枠５２が設けられている。外壁部１１においては、内壁面材４１よりも屋外側に柱１３が配置されており、窓枠５２は柱１３に横並びに配置されている。窓枠５２の縦枠部５２ａに沿って延びている窓沿いスタッド５８は、柱１３と内壁面材４１との間に設けられており、連結部材６１を介して柱１３に固定されている。窓沿いスタッド５８には、窓枠５２の縦枠部５２ａ及び内壁面材４１の両方が固定されている。【選択図】      図１
2015094145.tif 000002
【特許請求の範囲】
【請求項１】
柱を挟んで対向する一対の壁面材と、それら壁面材の間に設けられた壁下地とを有する壁部に、壁開口部が設けられている建物の壁構造であって、
前記壁開口部には、縦枠部及び横枠部を有する開口枠が設けられており、
前記壁下地は、
前記一対の壁面材のうち一方である内壁面材と前記柱との間において前記縦枠部に沿って延びた状態で設けられ、前記内壁面材及び前記縦枠部の両方が固定された開口沿いスタッドを有しており、
前記開口沿いスタッドは、連結部材を介して前記柱に連結されており、
前記連結部材は、前記開口沿いスタッドに固定されたスタッド側固定部と、前記柱に固定された柱側固定部とを有していることを特徴とする建物の壁構造。
【請求項２】
前記スタッド側固定部は、前記壁部の壁幅方向及び壁厚み方向のうち一方に沿って延びた状態で、前記開口沿いスタッドの周面に重ねられており、
前記柱側固定部は、前記壁幅方向及び前記壁厚み方向のうち前記スタッド側固定部とは異なる方に沿って延びた状態で、前記柱の周面に重ねられていることを特徴とする請求項１に記載の建物の壁構造。
【請求項３】
前記連結部材は、前記柱と前記内壁面材との間において、前記壁幅方向に沿って前記開口沿いスタッドに横並びに設けられており、
前記スタッド側固定部は、前記柱における前記壁幅方向に沿って延びた面に重ねられており、
前記柱側固定部は、前記開口沿いスタッドにおける前記壁厚み方向に沿って延びた面に重ねられていることを特徴とする請求項２に記載の建物の壁構造。
【請求項４】
前記スタッド側固定部には、当該スタッド側固定部を前記開口沿いスタッドに固定するためのスタッド側孔が形成されており、
前記柱側固定部には、当該柱側固定部を前記柱に固定するための柱側孔が形成されており、
前記スタッド側孔及び前記柱側孔の少なくとも一方は、孔幅方向に沿って延びた長孔とされていることを特徴とする請求項２又は３に記載の建物の壁構造。
【請求項５】
前記壁下地は、前記壁部の壁幅方向において前記柱を挟んで前記開口枠とは反対側に柱沿いスタッドを有しており、
前記連結部材は、前記壁幅方向において前記柱から前記開口枠とは反対側に突出した突出部分を有しており、
前記突出部分は、前記柱沿いスタッドに当接していることで該柱沿いスタッドの設置位置を前記壁幅方向について設定するものであることを特徴とする請求項１乃至４のいずれか１項に記載の建物の壁構造。
【請求項６】
前記壁下地は、前記壁幅方向において隣り合う前記柱の間に設けられ、前記内壁面材に沿って所定間隔で配置された複数の内壁スタッドを有しており、
前記柱沿いスタッドは、前記内壁スタッドに含まれていることを特徴とする請求項５に記載の建物の壁構造。
【請求項７】
前記壁下地は、
前記複数の内壁スタッドを挟んで上下に配置された一対の内壁ランナと、
前記開口沿いスタッドを挟んで上下に配置された一対の開口沿いランナと、
を有していることを特徴とする請求項６に記載の建物の壁構造。
【請求項８】
前記壁下地は、
前記内壁スタッドとして、前記開口枠の上方又は下方に設けられた短尺スタッドと、
前記開口枠の前記横枠部に沿って延び、前記一対の内壁ランナのうち一方に前記短尺スタッドを挟んで対向する中間ランナと、
を有しており、
前記開口沿いランナは、前記柱と前記内壁面材との間において、前記壁部の壁高さ方向において前記中間ランナを挟んで前記短尺スタッドの反対側に配置され、該中間ランナに固定されていることを特徴とする請求項７に記載の建物の壁構造。
【請求項９】
前記壁開口部には、サッシ戸が開閉可能に取り付けられたサッシ枠が、前記開口枠の屋外側に設けられており、
前記開口枠には、前記サッシ戸の屋内側に配置された障子戸が開閉可能に取り付けられていることを特徴とする請求項１乃至８のいずれか１項に記載の建物の壁構造。
【発明の詳細な説明】
【技術分野】
【０００１】
本発明は、建物の壁構造に関するものである。
【背景技術】
【０００２】
住宅等の建物において、外壁等の壁部に窓部等の壁開口部が形成されている場合、その壁開口部に設けられた開口枠は柱や大梁等の建物躯体に対して固定されている。例えば、開口枠が柱に対して固定されている場合、開口枠の縦枠部が柱に横並びに配置され、縦枠部の側面と柱の側面とが重なった状態で、その縦枠部が柱にビス等により固定されている（例えば特許文献１参照）。
【先行技術文献】
【特許文献】
【０００３】
【特許文献１】特開２００５−３２０８５３号公報
【発明の概要】
【発明が解決しようとする課題】
【０００４】
ここで、開口枠が柱から離間した位置に配置された場合、縦枠部の側面は柱の側面から離間することになり、縦枠部を柱に直接固定することはできない。そこで、縦枠部の柱側にスタッドを設け、そのスタッドを介して開口枠の縦枠部を柱に固定することが考えられる。また、このスタッドは、石膏ボード等の壁面材が固定されることで、開口枠に加えて壁面材も支持する役割を果たすことになる。
【０００５】
しかしながら、柱と壁面材との間にスタッドが配置された構成において、壁厚み方向において柱と壁面材との離間距離がスタッドの厚み寸法よりも大きい場合、スタッドは柱及び壁面材の少なくとも一方から離間してしまうため、スタッドを柱及び壁面材の両方に直接固定するには、スタッドの厚み寸法を柱と壁面材との離間距離と同じ幅寸法に設定する必要がある。この場合、複数種類のスタッドを用意しておき、柱と壁面材との離間距離に応じてスタッドを使い分ける方法が考えられるが、この方法では、コスト負担や作業負担が大きくなってしまう。
【０００６】
本発明は、上記事情に鑑みてなされたものであり、開口枠及び内壁面材の両方を柱に好適に固定することができる壁構造を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物の壁構造は、柱（柱１３）を挟んで対向する一対の壁面材（外壁面材３４、内壁面材４１）と、それら壁面材の間に設けられた壁下地（内壁下地４２）とを有する壁部に、壁開口部（窓部１２）が設けられている建物の壁構造であって、前記壁開口部には、縦枠部（縦枠部５２ａ）及び横枠部（上枠部５２ｂ、下枠部５２ｃ）を有する開口枠（窓枠５２）が設けられており、前記壁下地は、前記一対の壁面材のうち一方である内壁面材（内壁面材４１）と前記柱との間において前記縦枠部に沿って延びた状態で設けられ、前記内壁面材及び前記縦枠部の両方が固定された開口沿いスタッド（窓沿いスタッド５８）を有しており、前記開口沿いスタッドは、連結部材（連結部材６１）を介して前記柱に連結されており、前記連結部材は、前記開口沿いスタッドに固定されたスタッド側固定部（スタッド側固定部６２）と、前記柱に固定された柱側固定部（柱側固定部６３）とを有していることを特徴とする。
【０００９】
第１の発明によれば、開口枠に固定された開口沿いスタッドが柱と壁面材との間に配置された構成において、この開口沿いスタッドが連結部材を介して柱に固定されているため、開口沿いスタッドを柱から内壁面材側に離間した位置に配置できる。この場合、開口沿いスタッドを壁面材の背面に重なる位置に配置することが可能となるため、その開口沿いスタッドを壁面材及び柱の両方に固定することができる。つまり、内壁面材を開口沿いスタッドを介して柱に適正な状態で固定することができる。また、開口沿いスタッドの厚み寸法が柱と内壁面材との離間距離より小さくてもよいため、汎用品を開口沿いスタッドとして使用することが可能になり、開口沿いスタッドについてのコスト負担や作業負担を低減することができる。以上により、開口枠及び内壁面材の両方を柱に好適に固定することができる。
【００１０】
第２の発明では、第１の発明において、前記スタッド側固定部は、前記壁部の壁幅方向及び壁厚み方向のうち一方に沿って延びた状態で、前記開口沿いスタッドの周面に重ねられており、前記柱側固定部は、前記壁幅方向及び前記壁厚み方向のうち前記スタッド側固定部とは異なる方に沿って延びた状態で、前記柱の周面に重ねられている。
【００１１】
第２の発明によれば、壁幅方向及び壁厚み方向のうち一方に沿ってスタッド側固定部が延びており、他方に沿って柱側固定部が延びているため、連結部材を開口沿いスタッドの周面及び柱の周面に沿って変位させることで、柱に対する開口沿いスタッドの位置調整を壁幅方向及び壁厚み方向の両方について実施することができる。したがって、柱に対する開口沿いスタッドの位置合わせ作業を容易化できる。
【００１２】
第３の発明では、第２の発明において、前記連結部材は、前記柱と前記内壁面材との間において、前記壁幅方向に沿って前記開口沿いスタッドに横並びに設けられており、前記スタッド側固定部は、前記柱における前記壁幅方向に沿って延びた面に重ねられており、前記柱側固定部は、前記開口沿いスタッドにおける前記壁厚み方向に沿って延びた面に重ねられている。
【００１３】
第３の発明によれば、柱と内壁面材との間に連結部材及び開口沿いスタッドの両方が配置されているため、柱に対する柱側固定部の固定作業、及びスタッド側固定部に対する開口沿いスタッドの固定作業のいずれも、内壁面材側から実施することができる。
【００１４】
第４の発明では、第２又は３の発明において、前記スタッド側固定部には、当該スタッド側固定部を前記開口沿いスタッドに固定するためのスタッド側孔（スタッド側孔６２ａ）が形成されており、前記柱側固定部には、当該柱側固定部を前記柱に固定するための柱側孔（柱側孔６３ａ）が形成されており、前記スタッド側孔及び前記柱側孔の少なくとも一方は、孔幅方向に沿って延びた長孔とされている。
【００１５】
第４の発明によれば、ビス等の固定具がスタッド側孔や柱側孔を通じて開口沿いスタッドや柱に打ち込まれることで、これら開口沿いスタッドや柱に連結部材が固定された構成において、固定具をスタッド側孔や柱側孔に沿って連結部材に対して相対的に移動させることが可能であるため、開口沿いスタッドや柱に対する固定部の打ち込み位置を変更することなく、開口沿いスタッドや柱に対して連結部材を変位させることができる。このため、柱に対する開口沿いスタッドの位置調整を容易に行うことができる。
【００１６】
第５の発明では、第１乃至第４のいずれかの発明において、前記壁下地は、前記壁部の壁幅方向において前記柱を挟んで前記開口枠とは反対側に柱沿いスタッド（柱沿いスタッド５７Ａ）を有しており、前記連結部材は、前記壁幅方向において前記柱から前記開口枠とは反対側に突出した突出部分（突出部分６８）を有しており、前記突出部分は、前記柱沿いスタッドに当接していることで該柱沿いスタッドの設置位置を前記壁幅方向について設定するものである。
【００１７】
第５の発明によれば、柱沿いスタッドを連結部材の突出部分に当接させるという容易な作業により、壁幅方向についての柱沿いスタッドの位置決めを行うことができる。つまり、連結部材を利用することで柱沿いスタッドの設置作業の容易化を図ることができる。
【００１８】
第６の発明では、第５の発明において、前記壁下地は、前記壁幅方向において隣り合う前記柱の間に設けられ、前記内壁面材に沿って所定間隔で配置された複数の内壁スタッド（内壁スタッド５７）を有しており、前記柱沿いスタッドは、前記内壁スタッドに含まれている。
【００１９】
第６の発明によれば、連結部材により柱沿いスタッドの位置決めを容易に行うことができるため、柱沿いスタッドを基準として複数の内壁スタッドを順番に並べる作業の容易化を実現できる。
【００２０】
第７の発明では、第６の発明において、前記壁下地は、前記複数の内壁スタッドを挟んで上下に配置された一対の内壁ランナ（内壁ランナ４３，４４）と、前記開口沿いスタッドを挟んで上下に配置された一対の開口沿いランナ（窓沿いランナ４７，４８）と、を有している。
【００２１】
第７の発明によれば、内壁ランナとは別に開口沿いランナが設けられているため、開口沿いスタッドを開口沿いランナに適正な状態で固定することができる。このため、開口沿いスタッドにより開口枠の支持強度を高めることができる。
【００２２】
第８の発明では、第７の発明において、前記壁下地は、前記内壁スタッドとして、前記開口枠の上方又は下方に設けられた短尺スタッド（短尺スタッド５７Ｂ）と、前記開口枠の前記横枠部に沿って延び、前記一対の内壁ランナのうち一方に前記短尺スタッドを挟んで対向する中間ランナ（中間ランナ４５，４６）と、を有しており、前記開口沿いランナは、前記柱と前記内壁面材との間において、前記壁部の壁高さ方向において前記中間ランナを挟んで前記短尺スタッドの反対側に配置され、該中間ランナに固定されている。
【００２３】
第８の発明によれば、開口沿いランナを柱及び中間ランナの両方に固定することが可能であるため、開口沿いスタッドを柱や中間ランナといった複数の部材に対して固定することができる。しかも、短尺スタッドと開口沿いスタッドとが中間ランナ及び開口沿いスタッドを挟んで上下に配置されているため、開口沿いスタッドの位置に関係なく短尺スタッドの設置位置を設定することができる。したがって、開口枠の上方及び下方において、短尺スタッドが内壁面材を適正に支持した構成を実現できる。
【００２４】
第９の発明では、第１乃至第８のいずれかの発明において、前記壁開口部には、サッシ戸（サッシ戸５４）が開閉可能に取り付けられたサッシ枠（サッシ枠５１）が、前記開口枠の屋外側に設けられており、前記開口枠には、前記サッシ戸の屋内側に配置された障子戸（障子戸５６）が開閉可能に取り付けられている。
【００２５】
第９の発明によれば、内壁面材が柱から離間した位置に配置されていることで、壁厚み方向において障子戸の設置可能な範囲が十分に確保されているため、サッシ戸の施錠装置に干渉しない位置に障子戸を配置することができる。これにより、サッシ戸の施錠装置が存在することで障子戸の開閉に支障が生じるということや、障子戸の存在によりサッシ戸の施錠装置の操作に支障が生じるということを回避できる。
【図面の簡単な説明】
【００２６】
【図１】外壁部の正面図
【図２】図１のＡ−Ａ線断面図
【図３】図１のＢ−Ｂ線断面図
【図４】連結部材の構成を示す図
【図５】別の外壁部の横断面図
【発明を実施するための形態】
【００２７】
以下、本発明を具体化した一実施形態について図面を参照しつつ説明する。本実施形態では、本発明の壁構造を建物の外壁部において具体化している。図１は外壁部１１の正面図、図２は図１のＡ−Ａ線断面図、図３は図１のＢ−Ｂ線断面図である。なお、図１は、外壁部１１を屋内側から見た図であり、外壁部１１の内部構造を部分的に示す破断図になっている。
【００２８】
図１〜図３に示すように、建物の外壁部１１には、壁開口部としての窓部１２が設けられている。建物においては、複数の柱１３が外壁部１１に沿って所定間隔で設けられており、窓部１２は、隣り合う柱１３の間に配置されている。各柱１３は、屋内空間の床部１５と天井部１６とに掛け渡された状態になっている。なお、外壁部１１が壁部に相当する。また、建物は居住空間を複数有しており、外壁部１１により区画され且つ窓部１２を有している居住空間は例えば和室とされている。
【００２９】
天井部１６は、天井下地材としての野縁２１と、野縁２１に取り付けられた天井面材２２とを有している。天井面材２２は、石膏ボード等により形成されており、野縁２１の下側に配置されている。野縁２１の上側には、野縁２１を支持する野縁受け２３が設けられている。野縁受け２３は、隣り合う柱１３に掛け渡された状態になっており、それら柱１３の上端部分の側面に固定されている。なお、野縁２１は、金具２４を介して野縁受け２３に連結されている。金具２４は、野縁２１及び野縁受け２３のそれぞれに対してビス等により固定されている。
【００３０】
外壁部１１は、屋外側に設けられた外壁パネル３１と、屋内側に設けられた内壁パネル３２とを有している。外壁パネル３１は、軽量コンクリート等の外装材により板状に形成された外壁面材３４と、外壁面材３４を支持する下地部材３５とを有している。外壁面材３４は、上下に開放された中空部３４ａを有しており、中空部３４ａは、外壁面材３４の幅方向に沿って所定間隔で複数配置されている。下地部材３５は、鋼材により形成されており、梁材などの建物躯体にボルト等により固定されている。この場合、外壁面材３４は、下地部材３５により建物躯体に連結されていることになる。
【００３１】
内壁パネル３２は、石膏ボード等の内装材により形成された内壁面材４１と、内壁面材４１を支持する内壁下地４２とを有している。内壁面材４１は、内壁下地４２の屋内側に配置されている。内壁下地４２は、外壁部１１の幅方向に延びる下地横材としてのランナ４３〜４８と、外壁部１１の高さ方向に延びる下地縦材としてのスタッド５７，５８とを有している。これらランナ４３〜４８及びスタッド５７，５８の屋内側面に対して内壁面材４１が取り付けられている。
【００３２】
外壁部１１においては、外壁面材３４と内壁面材４１とが互いに対向する一対の壁面材となっており、これら外壁面材３４と内壁面材４１との間おいて、複数の柱１３が壁幅方向に沿って並べられている。外壁部１１は、外壁面材３４と内壁面材４１との間に設けられた壁断熱部４９を有している。壁断熱部４９は、発泡系断熱材により板状に形成されており、外壁面材３４の屋内側面に沿って延びた状態で設けられている。柱１３は、壁断熱部４９により屋外側から覆われた状態になっている。なお、壁断熱部４９は内壁面材４１から屋内側に離間しており、その離間部分に内壁下地４２が設けられている。壁断熱部４９と内壁面材４１との離間部分を壁内空間と称することもできる。
【００３３】
窓部１２には、サッシ戸やガラス戸が取り付けられたサッシ枠５１と、そのサッシ枠５１の屋内側に配置された窓枠５２とが設けられている。この場合、サッシ枠５１を屋外側枠と称し、窓枠５２を屋内側枠と称することもできる。サッシ枠５１は、矩形枠状に形成されており、枠下地５３を介して建物下地に固定されている。枠下地５３は、上下方向に延びるＬ字状のアングル部材を有しており、そのアングル部材が、窓部１２の上下に配置された梁材に掛け渡された状態で固定されている。サッシ枠５１は、壁高さ方向に延びる一対の縦枠部５１ａと、それら縦枠部５１ａの上端部同士を連結する上枠部５１ｂと、下端部同士を連結する下枠部５１ｃとを有している。
【００３４】
サッシ枠５１には、開閉可能なサッシ戸５４が取り付けられている。サッシ戸５４は、引き違い式で複数設けられており、施錠装置としてのクレセント錠５５を有している。クレセント錠５５は、住人等のユーザにより操作される操作部５５ａを有しており、操作部５５ａは、クレセント錠５５を施錠する施錠状態と、解錠する解錠状態とに移行可能になっている。操作部５５ａは、回動軸を中心に回動可能に設けられ、施錠状態にある場合に、回動軸から上方に向けて壁高さ方向に延びており、回動先端側が上端に配置された状態になっている。操作部５５ａは、回動先端側が屋内側に移動する向きで下方に回動することで、解錠状態に移行することが可能になっている。操作部５５ａが回動した場合、操作部５５ａの回動先端部は、移動軌跡Ｎに沿って移動することになる。なお、サッシ戸５４を屋外側戸と称することもできる。
【００３５】
窓枠５２は、サッシ枠５１と同様に矩形枠状に形成されており、壁厚み方向においてサッシ枠５１に重ねられた状態で内壁下地４２に固定されている。窓枠５２は、サッシ枠５１と同様に、壁高さ方向に延びる一対の縦枠部５２ａと、それら縦枠部５２ａの上端部同士を連結する上枠部５２ｂと、下端部同士を連結する下枠部５２ｃとを有している。窓枠５２は、壁幅方向において柱１３に横並びに配置されている。窓枠５２の幅寸法は、その窓枠５２を挟んで隣り合う柱１３の離間距離よりも小さくされており、それら柱１３と窓枠５２との間には隙間が確保されている。なお、窓枠５２が開口枠に相当し、上枠部５２ｂ及び下枠部５２ｃが横枠部に相当する。
【００３６】
窓枠５２には、開閉可能な障子戸５６が取り付けられている。障子戸５６は、引き違い式で複数設けられており、サッシ戸５４の屋内側に配置されている。障子戸５６は、壁厚み方向において、クレセント錠５５の操作部５５ａの移動軌跡Ｎに重複しない位置に配置されている。これにより、クレセント錠５５の操作部５５ａが障子戸５６に接触してその操作部５５ａを回動させることができないということや、障子戸５６が操作部５５ａに接触してその障子戸５６を開閉することができないということを回避できる。
【００３７】
ランナ４３〜４８のうち、天井部１６に沿って延びている上側内壁ランナ４３と、床部１５に沿って延びている下側内壁ランナ４４とは、上下に配置された一対の内壁ランナ４３，４４になっている。内壁ランナ４３，４４は、断面コ字状の軽量溝形鋼により形成されている。上側内壁ランナ４３は、溝部を下方に向けた状態で、野縁２１の下面に対して固定されている。この場合、上側内壁ランナ４３は、野縁受け２３に沿って延びており、野縁２１を介して野縁受け２３に固定されていることになる。下側内壁ランナ４４は、溝部を上方に向けた状態で、床部１５の上面に対して固定されている。この場合、上側内壁ランナ４３の溝部と下側内壁ランナ４４の溝部とは互いに向かい合っている。
【００３８】
窓部１２は、上側内壁ランナ４３と下側内壁ランナ４４との間に配置されており、ランナ４３〜４８のうち、上側内壁ランナ４３と下側内壁ランナ４４との間に配置された中間ランナ４５，４６は、窓枠５２に沿って延びている。中間ランナ４５，４６は、ランナ４３，４４と同様に、断面コ字状の軽量溝形鋼により形成されている。内壁ランナ４３，４４及び中間ランナ４５，４６は、窓枠５２よりも側方に突出している。
【００３９】
中間ランナ４５，４６のうち、窓枠５２の上側に配置された上側中間ランナ４５は、窓枠５２の上枠部５２ｂに沿って延びている。上側中間ランナ４５は、溝部を上方に向けた状態で設けられており、上枠部５２ｂは、上側中間ランナ４５の下面に固定されている。この場合、上側中間ランナ４５の溝部と上側内壁ランナ４３の溝部とは互いに向かい合っている。
【００４０】
中間ランナ４５，４６のうち、窓枠５２の下側に配置された下側中間ランナ４６は、窓枠５２の下枠部５２ｃに沿って延びている。下側中間ランナ４６は、溝部を下方に向けた状態で設けられており、下枠部５２ｃは、下側中間ランナ４６の上面に固定されている。この場合、下側中間ランナ４６の溝部と下側内壁ランナ４４の溝部とは互いに向かい合っている。
【００４１】
内壁ランナ４３，４４及び中間ランナ４５，４６は、隣り合う柱１３の間に設けられている。これらランナ４３〜４６は、いずれも柱１３よりも屋内側に突出しており、柱１３の屋内側面を壁厚み方向に跨いだ状態で配置されている。
【００４２】
スタッド５７，５８は、断面矩形状の軽量角形鋼により形成されており、中空部を有する筒状部材になっている。スタッド５７，５８のうち、内壁面材４１を支持している内壁スタッド５７は、壁幅方向に沿って所定間隔で複数並べて設けられており、いずれも隣り合う柱１３の間に配置されている。各内壁スタッド５７は、柱１３よりも屋内側に突出しており、内壁ランナ４３，４４及び中間ランナ４５，４６と同様に、柱１３の屋内側面を壁厚み方向に跨いだ状態で配置されている。なお、内壁スタッド５７は、断面長方形状に形成されており、その長辺が壁厚み方向に沿って延びる向きで設置されている。
【００４３】
内壁スタッド５７には、柱１３に沿って延びている柱沿いスタッド５７Ａと、窓部１２に上下に並ぶ位置に設けられた短尺スタッド５７Ｂとが含まれている。柱沿いスタッド５７Ａは、壁幅方向において柱１３を挟んで窓枠５２の反対側に配置されている。柱沿いスタッド５８は、一対の内壁ランナ４３，４４に掛け渡されており、それら内壁ランナ４３，４４の各溝部に入り込んだ状態で、それら内壁ランナ４３，４４にビス等により固定されている。
【００４４】
短尺スタッド５７Ｂは、窓部１２の上方及び下方のそれぞれにおいて複数設けられている。窓部１２の上方に設けられた短尺スタッド５７Ｂは、上側内壁ランナ４３と上側中間ランナ４５とに掛け渡されており、それら上側内壁ランナ４３及び上側中間ランナ４５の各溝部に入り込んだ状態で、それらランナ４３，４５にビス等により固定されている。一方、窓部１２の下方に設けられた短尺スタッド５７Ｂは、下側内壁ランナ４４と下側中間ランナ４６とに掛け渡されており、それら下側内壁ランナ４４と下側中間ランナ４６の各溝部に入り込んだ状態で、それらランナ４４，４６にビス等により固定されている。
【００４５】
壁厚み方向において、内壁スタッド５７の厚み寸法は、内壁ランナ４３，４４及び中間ランナ４５，４６の溝幅寸法（一対のフランジの離間距離）とほぼ同じにされており、内壁スタッド５７は、これらランナ４３〜４６の溝部内に嵌合されている。
【００４６】
スタッド５７，５８のうち、窓枠５２の縦枠部５２ａに沿って延びている窓沿いスタッド５８は、柱１３と内壁面材４１との間に配置されている。窓沿いスタッド５８は、断面長方形状に形成されており、その長辺が壁幅方向に沿って延びる向きで設置されている。窓沿いスタッド５８の屋内側面は、内壁スタッド５７の屋内側面と直線上に配置されており、それら屋内側面に内壁面材４１が掛け渡された状態になっている。壁厚み方向において、窓沿いスタッド５８の厚み寸法Ｄ１（例えば４５ｍｍ）は、柱１３と内壁面材４１との離間距離Ｄ２よりも小さくされており、窓沿いスタッド５８は、柱１３から内壁面材４１側に離間している。また、内壁スタッド５７の厚み寸法Ｄ３（例えば９０ｍｍ）は、窓沿いスタッド５８の厚み寸法Ｄ１より大きくされている。
【００４７】
窓枠５２は、内壁下地４２に固定されている。窓枠５２の縦枠部５２ａは、その側面が窓沿いスタッド５８の側面に重ねられた状態でその窓沿いスタッド５８にビス等により固定されている。縦枠部５２ａは、柱１３から壁幅方向に離間した位置に配置されており、窓沿いスタッド５８は、壁幅方向において柱１３よりも窓枠５２側に突出した状態で配置されている。その一方で、窓沿いスタッド５８は、壁厚み方向において柱１３に重なった部分を有しており、柱１３における窓枠５２側の側面を壁幅方向に跨いだ状態になっている。この場合、窓沿いスタッド５８の幅寸法Ｗ１（例えば６５ｍｍ）は、柱１３と窓枠５２との離間距離Ｗ２よりも大きくされている。また、窓沿いスタッド５８は、壁幅方向において柱沿いスタッド５７Ａから窓枠５２側に離間した位置に配置されている。
【００４８】
なお、窓枠５２において、上枠部５２ｂは、その上面が上側中間ランナ４５の下面に重ねられた状態でその上側中間ランナ４５にビス等により固定されている。下枠部５２ｃは、その下面が下側中間ランナ４６の上面に重ねられた状態でその下側中間ランナ４６にビス等により固定されている。
【００４９】
ランナ４３〜４８のうち、窓沿いスタッド５８の上側に配置された上側窓沿いランナ４７と、窓沿いスタッド５８の下側に配置された下側窓沿いランナ４８とは、上下に配置された一対の窓沿いランナ４７，４８とされており、これら窓沿いランナ４７，４８には、窓沿いスタッド５８が固定されている。窓沿いランナ４７，４８は、断面コ字状の軽量溝形鋼により形成されている。上側窓沿いランナ４７は、溝部を下方に向けた状態で、上側中間ランナ４５の下面及び柱１３の屋内側面に対して固定されている。下側窓沿いランナ４８は、溝部を上方に向けた状態で、下側中間ランナ４６の上面及び柱１３の屋内側面に対して固定されている。
【００５０】
窓沿いスタッド５８は、一対の窓沿いランナ４７，４８に掛け渡されており、それら窓沿いランナ４７，４８の各溝部に入り込んだ状態で、それら窓沿いランナ４７、４８にビス等により固定されている。壁高さ方向において、窓沿いスタッド５８の長さ寸法は、窓枠５２の高さ寸法とほぼ同じにされている。壁厚み方向において、窓沿いスタッド５８の厚み寸法は、窓沿いランナ４７，４８の溝幅寸法とほぼ同じにされており、窓沿いスタッド５８は、これら窓沿いランナ４７，４８の溝部内に嵌合されている。この場合、窓沿いスタッド５８は、窓沿いランナ４７，４８において、ウェブを挟んで対向する一対のフランジのそれぞれに固定されていることになる。なお、窓沿いスタッド５８は開口沿いスタッドに相当し、窓沿いランナ４７，４８は開口沿いランナに相当する。
【００５１】
なお、短尺スタッド５７Ｂのうち、最も柱１３側に配置された短尺スタッド５７Ｂは、壁幅方向において少なくとも一部が窓沿いスタッド５８の上方に重なる位置に配置されている。
【００５２】
窓沿いスタッド５８は、連結部材６１を介して柱１３に連結されている。これにより、窓沿いスタッド５８が柱１３から屋内側に離間した位置に配置されていても、窓沿いスタッド５８が柱１３に対して固定された構成を実現できる。連結部材６１は、柱１３と内壁面材４１との間において、窓沿いスタッド５８を挟んで窓枠５２の反対側に配置されている。この場合、連結部材６１は、壁幅方向において窓沿いスタッド５８と柱沿いスタッド５７Ａとの間に配置されている。
【００５３】
連結部材６１は、窓沿いスタッド５８に固定されたスタッド側固定部６２と、柱１３に固定された柱側固定部６３とを有している。スタッド側固定部６２は、柱側固定部６３から壁厚み方向に沿って延びており、窓沿いスタッド５８における柱沿いスタッド５７Ａ側の面に重ねられた状態で、ビス等の第１固定具６５により窓沿いスタッド５８に固定されている。柱側固定部６３は、スタッド側固定部６２から壁幅方向に沿って延びており、柱１３における内壁面材４１側の面に重ねられた状態で、ビス等の第２固定具６６により柱１３に固定されている。
【００５４】
連結部材６１により連結された窓沿いスタッド５８と柱１３との連結構造について、図２、図４を参照しつつ説明する。図４は連結部材６１の構成を示す図であり、（ａ）に連結部材６１の斜視図を示し、（ｂ）に柱１３と窓沿いスタッド５８との連結構造の分解斜視図を示す。
【００５５】
図４（ａ）に示すように、連結部材６１は、互いに直交する一対の板部を有しており、それら板部のうち一方がスタッド側固定部６２とされ、他方が柱側固定部６３とされている。連結部材６１は、短尺状のアングル材等の鋼材により形成されている。柱側固定部６３には、第２固定具６６のための柱側孔６３ａが設けられている。柱側孔６３ａは、丸孔になっており、柱側固定部６３とスタッド側固定部６２との境界部に沿って複数並べられている。
【００５６】
スタッド側固定部６２には、第１固定具６５のためのスタッド側孔６２ａが設けられている。スタッド側孔６２ａは、柱側固定部６３からのスタッド側固定部６２の延出方向に沿って延びた長孔になっている。換言すれば、スタッド側孔６２ａは、孔幅方向に沿って延びた長孔になっている。スタッド側孔６２ａは、柱側固定部６３とスタッド側固定部６２との境界部が延びる方向に直交して延びており、前記境界部に沿って複数並べられている。この場合、スタッド側孔６２ａは、壁厚み方向に沿って水平方向に延びていることになる。なお、スタッド側固定部６２のスタッド側孔６２ａが固定孔に相当する。
【００５７】
図４（ｂ）に示すように、連結部材６１は、上下方向において所定間隔で複数並べて設けられている。連結部材６１においては、第２固定具６６が柱側固定部６３の柱側孔６３ａを通じて柱１３に羅着されており、それによって、連結部材６１が柱１３に固定されている。また、第１固定具６５は、窓沿いスタッド５８を貫通してスタッド側固定部６２のスタッド側孔６２ａに羅着されており、それによって、連結部材６１が窓沿いスタッド５８に固定されている。
【００５８】
図２に示すように、連結部材６１において、スタッド側固定部６２は、柱側固定部６３から内壁面材４１側に向けて窓沿いスタッド５８に沿って延びているが、内壁面材４１から柱１３側に離間しており、窓沿いスタッド５８より屋内側には突出していない。このため、窓沿いスタッド５８及び柱沿いスタッド５７Ａに対する内壁面材４１の取り付けに際して、連結部材６１のスタッド側固定部６２が支障になるということを回避できる。
【００５９】
柱側固定部６３は、スタッド側固定部６２から柱沿いスタッド５７Ａ側に向けて柱１３に沿って延びており、柱１３より柱沿いスタッド５７Ａ側に突出している。この突出部分６８の先端には、柱沿いスタッド５７Ａの柱１３側の面が当接している。ここで、壁高さ方向に配置された各連結部材６１において、柱側固定部６３の突出部分６８の突出寸法が均一にされており、それら突出部分６８の先端は壁高さ方向（鉛直方向）に沿って延びる直線上に配置されている。
【００６０】
次に、窓沿いスタッド５８を柱１３に固定する作業手順について簡単に説明する。
【００６１】
柱１３及び内壁ランナ４３，４４が設置された状態において、柱１３の屋内側面に連結部材６１の柱側固定部６３を重ね、その状態で第２固定具６６を柱側孔６３ａから柱１３に打ち込むことで、連結部材６１を柱１３に固定する。ここでは、壁幅方向について、あらかじめ窓枠５２、窓沿いスタッド５８及び柱沿いスタッド５７Ａの設置位置を定めておき、スタッド側固定部６２が窓沿いスタッド５８の側面に当接し、且つ柱側固定部６３の突出部分６８が柱沿いスタッド５７Ａの側面に当接する位置を、柱１３に対する連結部材６１の固定位置として設定する。
【００６２】
そして、スタッド側固定部６２に当接する位置に窓沿いスタッド５８を配置し、第１固定具６５を窓沿いスタッド５８側からスタッド側固定部６２に向けて第１固定具６５を打ち込む。ここでは、壁厚み方向において、あらかじめ内壁面材４１の設置位置を定めておき、窓沿いスタッド５８が内壁面材４１の屋外側面に重なるように、連結部材６１に対する窓沿いスタッド５８の固定位置を壁厚み方向について設定する。この場合、スタッド側固定部６２のスタッド側孔６２ａが壁厚み方向に沿って延びているため、第１固定具６５を柱１３に打ち込んだ後でも、第１固定具６５の頭部がスタッド側固定部６２を柱１３に対して押し付けていなければ、スタッド側固定部６２に対する窓沿いスタッド５８の位置調整を行うことが可能になる。
【００６３】
その後、窓沿いスタッド５８や中間ランナ４５，４６に対して窓枠５２を取り付ける。
【００６４】
また、柱沿いスタッド５７Ａを、各連結部材６１の柱側固定部６３の突出部分６８に当接する位置に配置し、内壁ランナ４３，４４に対して固定する。この場合、各突出部分６８が鉛直方向に並べられているため、柱沿いスタッド５７Ａを容易に鉛直に立てることができる。また、柱沿いスタッド５７Ａを挟んで窓枠５２とは反対側に配置する複数の内壁スタッド５７については、柱沿いスタッド５７Ａを基準位置としてそれぞれの設置位置を容易に設定することができる。
【００６５】
以上詳述した本実施形態によれば、以下の優れた効果が得られる。
【００６６】
窓沿いスタッド５８が連結部材６１を介して柱１３に連結されているため、窓沿いスタッド５８を柱１３から屋内側に離間した位置に配置できる。この場合、窓沿いスタッド５８を内壁面材４１の屋外側面に重ねる位置に配置することが可能となるため、その窓沿いスタッド５８を内壁面材４１及び柱１３の両方に固定することができる。つまり、内壁面材４１を窓沿いスタッド５８を介して柱１３に適正な状態で固定することができる。また、窓沿いスタッド５８の厚み寸法が柱１３と内壁面材４１の離間距離より小さくてもよいため、汎用品を窓沿いスタッド５８として使用することが可能となり、窓沿いスタッド５８についてのコスト負担や作業負担を低減することができる。以上により、窓枠５２及び内壁面材４１の両方を柱１３に好適に固定することができる。
【００６７】
連結部材６１においては、スタッド側固定部６２が壁厚み方向に沿って延び、柱側固定部６３が壁幅方向に沿って延びているため、連結部材６１を柱１３及び窓沿いスタッド５８に沿って側方に移動させるという容易な作業により、柱１３に対する窓沿いスタッド５８の位置調整を壁厚み方向及び壁幅方向の両方について実施することができる。したがって、柱１３に対する窓沿いスタッド５８の位置合わせ作業を容易化できる。
【００６８】
柱１３の屋内側に窓沿いスタッド５８及び連結部材６１の両方が配置されているため、柱１３に対する連結部材６１の柱側固定部６３の固定作業、連結部材６１のスタッド側固定部６２に対する窓沿いスタッド５８の固定作業、及び窓沿いスタッド５８に対する内壁面材４１の固定作業を屋内側から容易に実施することができる。
【００６９】
連結部材６１のスタッド側孔６２ａが長孔とされているため、窓沿いスタッド５８に対する第１固定具６５の打ち込み位置を変更せず、その第１固定具６５が窓沿いスタッド５８に打ち込まれた状態のまま、壁厚み方向において窓沿いスタッド５８に対する連結部材６１の位置調整を行うことが可能となる。このため、柱１３に対する窓沿いスタッド５８の位置調整の容易化を実現できる。
【００７０】
連結部材６１の突出部分６８により柱沿いスタッド５７Ａの位置決めがなされているため、柱１３を挟んで窓枠５２とは反対側において、柱沿いスタッド５７Ａを含めた内壁スタッド５７を設置する場合に、柱沿いスタッド５７Ａを基準とすることができる。これにより、柱１３側から壁幅方向に沿って順に複数の内壁スタッド５７を設置する場合に、その作業負担を低減できる。
【００７１】
窓沿いスタッド５８を固定するための専用の窓沿いランナ４７，４８が設けられているため、窓沿いスタッド５８を内壁ランナ４３，４４や中間ランナ４５，４６に固定する必要がない。ここで、窓沿いスタッド５８の厚み寸法が内壁スタッド５７の厚み寸法より小さいため、窓沿いスタッド５８が内壁ランナ４３，４４や中間ランナ４５，４６に固定された場合には、窓沿いスタッド５８がランナ４３〜４６の一対のフランジのうち一方にしか固定することができないことになる。これに対して、本実施形態では、窓沿いランナ４７，４８が設けられているため、窓沿いスタッド５８を窓沿いランナ４７，４８の一対のフランジの両方に固定することができる。つまり、窓沿いランナ４７，４８に対して窓沿いスタッド５８を適正な状態で固定することができる。
【００７２】
窓沿いランナ４７，４８が中間ランナ４５，４６及び柱１３に固定されているため、窓沿いスタッド５８が窓沿いランナ４７，４８を介して中間ランナ４５，４６及び柱１３という複数の部材に固定することができる。しかも、窓沿いスタッド５８は、窓枠５２の上方に配置された短尺スタッド５７Ｂと、窓枠５２の下方に配置された短尺スタッド５７Ｂとの間に配置されているため、窓沿いスタッド５８の位置に関係なく短尺スタッド５７Ｂの設置位置を設定することができる。したがって、窓枠５２の上方及び下方において、短尺スタッド５７Ｂにより内壁面材４１が適正な状態で支持された構成を実現できる。
【００７３】
柱１３と内壁面材４１との間に窓沿いスタッド５８が設けられ、さらに、柱１３と内壁面材４１との離間距離が窓沿いスタッド５８の厚み寸法より大きくされているため、壁厚み方向において柱１３に対する窓枠５２の位置を極力屋内側に設定することができる。つまり、障子戸５６の位置を極力屋内側に設定することができる。これにより、障子戸５６を、壁厚み方向においてクレセント錠５５の操作部５５ａの移動軌跡Ｎに重複しない位置に配置することが可能となる。
【００７４】
［他の実施形態］
本発明は上記実施形態の記載内容に限定されず、例えば次のように実施されてもよい。
【００７５】
（１）上記実施形態では、柱沿いスタッド５７Ａの屋内側面と窓沿いスタッド５８の屋内側面とが直線上に並べられていたが、柱沿いスタッド５７Ａの屋内側面が、窓沿いスタッド５８の屋内側面よりも屋外側に配置されていてもよい。例えば、図５に示すように、柱沿いスタッド５７Ａが、その長辺が壁幅方向に沿って延びる向きで設置された構成とする。この場合、壁厚み方向において、柱沿いスタッド５７Ａの厚み寸法は、窓沿いスタッド５８の厚み寸法より小さくされており、柱沿いスタッド５７Ａを挟んで柱１３とは反対側に配置された複数の内壁スタッド５７も、柱沿いスタッド５７Ａと同じ厚み寸法を有している。この場合、柱沿いスタッド５７Ａに取り付けられた内壁面材４１ａは、窓沿いスタッド５８に取り付けられた内壁面材４１ｂに比べて屋外側に配置されている。
【００７６】
これら内壁面材４１ａ，４１ｂの間には、外壁部１１から屋内側に向けて延びた間仕切壁７１が設けられている。間仕切壁７１は、屋内空間を複数の居住空間に仕切るものであり、間仕切壁７１の窓部１２側の居住空間が例えば和室とされ、間仕切壁７１を挟んで窓部１２とは反対側の居住空間が例えば洋室とされている。
【００７７】
間仕切壁７１は、互いに対向する一対の間仕切壁面材７２と、それら間仕切壁面材７２の間に設けられた間仕切壁下地７３とを有している。間仕切壁下地７３は、窓沿いスタッド５８に固定されている。例えば、間仕切壁下地７３は間仕切スタッドを有しており、この間仕切スタッドが窓沿いスタッド５８に沿って延びた状態で窓沿いスタッド５８に固定されている。
【００７８】
柱１３は、ラチス柱を構成する柱とされている。ラチス柱は、壁幅方向において所定間隔で配置された一対の柱１３と、それら柱１３を連結するラチス７７とを有している。外壁部１１の内部にラチス７７が設けられている構成においては、柱側断熱部４８ｂが、柱１３の屋外側だけでなくラチス７７の屋外側にも設けられている。また、内壁下地４２はラチス７７の屋内側に設けられており、その内壁下地４２の厚み寸法は、上記実施形態の内壁下地４２の厚み寸法に比べて小さくされている。
【００７９】
（２）上記実施形態では、連結部材６１が柱１３と内壁面材４１との間に設けられていたが、連結部材６１は、柱１３と窓枠５２との間に設けられていてもよい。つまり、柱１３及び窓沿いスタッド５８において、連結部材６１は、上記実施形態とは異なる周面に固定されていてもよい。例えば、連結部材６１において、柱側固定部６３が柱１３における窓枠５２側の面に重ねられた状態で固定され、スタッド側固定部６２が窓沿いスタッド５８の屋外側面に重ねられた状態で固定された構成とする。この構成でも、柱１３に対する窓沿いスタッド５８の位置を、壁厚み方向及び壁幅方向の両方について調整することができる。この場合、上記実施形態とは異なり、柱１３に対する柱側固定部６３の位置を変更することで、スタッド側固定部６２を壁厚み方向に変位させることができ、窓沿いスタッド５８に対するスタッド側固定部６２の位置を変更することで、スタッド側固定部６２を壁幅方向に変位させることができる。
【００８０】
（３）上記実施形態では、連結部材６１においてスタッド側固定部６２と柱側固定部６３とが互いに直交する方向に延びていたが、これらスタッド側固定部６２と柱側固定部６３とは同じ方向に沿って延びていてもよい。例えば、スタッド側固定部６２及び柱側固定部６３がいずれも壁幅方向に沿って延びた構成とする。この構成では、柱１３及び窓沿いスタッド５８における窓枠５２とは反対側の各面が、壁厚み方向に直線上に並べて配置されており、連結部材６１がそれら面に掛け渡された状態で設けられている。この場合、連結部材６１は平板状に形成されており、その平板の一端側がスタッド側固定部６２とされ、他端側が柱側固定部６３とされている。
【００８１】
（４）連結部材６１は、柱１３及び窓沿いスタッド５８に沿って上下方向に延びていてもよい。例えば、連結部材６１が、窓沿いスタッド５８とほぼ同じ長さ寸法を有し、上側内壁ランナ４３と下側内壁ランナ４４とに掛け渡され状態になっている構成とする。
【００８２】
（５）上記実施形態では、連結部材６１において、スタッド側孔６２ａが孔幅方向に沿って延びた長孔とされていたが、スタッド側孔６２ａに代えて又は加えて、柱側孔６３ａが孔幅方向に沿って延びた長孔とされていてもよい。この場合、柱１３に対する第２固定具６６の打ち込み位置を変更せず、その第２固定具６６が柱１３に打ち込まれた状態のまま、壁幅方向において柱１３に対する連結部材６１の位置調整を行うことが可能となる。このため、柱１３に対する窓沿いスタッド５８の位置調整の更なる容易化を実現できる。
【００８３】
（６）上記実施形態では、窓沿いスタッド５８の長さ寸法が窓枠５２の高さ寸法とほぼ同じにされていたが、窓沿いスタッド５８の長さ寸法は、柱沿いスタッド５７Ａとほぼ同じにされていてもよい。例えば、窓沿いランナ４７，４８が中間ランナ４５，４６に固定されているのではなく、内壁ランナ４３，４４に固定された構成とする。この構成では、上側窓沿いランナ４７が上側内壁ランナ４３と同じ高さ位置に配置され、野縁２１に固定されており、下側窓沿いランナ４８が下側内壁ランナ４４と同じ高さに配置され、床部１５の上に設置されている。また、壁幅方向において、窓沿いスタッド５８は、柱１３から窓枠５２側に向けて突出しているため、短尺スタッド５７Ｂが窓沿いスタッド５８を挟んで柱沿いスタッド５７Ａとは反対側に配置されている。
【００８４】
（７）窓部１２が壁開口部とされているのではなく、玄関口等の出入口が壁開口部とされていてもよい。この場合でも、出入口に出入口枠等の開口枠が取り付けられていることで、その開口枠の縦枠部と柱との間に開口沿いスタッドを設けた構成を実現できる。
【００８５】
（８）壁部としては、外壁部１１に加えて、屋内空間を仕切る間仕切壁部も挙げられる。間仕切壁部においても、間仕切壁部の壁開口部に開口枠が取り付けられていることで、その開口枠の縦枠部と柱との間に開口沿いスタッドを設けた構成を実現できる。
【符号の説明】
【００８６】
１１…壁部としての外壁部、１２…壁開口部としての窓部、１３…柱、３４…壁面材としての外壁面材、４１…壁面材としての内壁面材、４２…内壁下地、４３…内壁ランナとしての上側内壁ランナ、４４…内壁ランナとしての下側内壁ランナ、４５…中間ランナとしての上側中間ランナ、４６…中間ランナとしての下側中間ランナ、４７…開口沿いランナとしての上側窓沿いランナ、４８…開口沿いランナとしての下側窓沿いランナ、５１…サッシ枠、５２…開口枠としての窓枠、５２ａ…縦枠部、５２ｂ…横枠部としての上枠部、５２ｃ…横枠部としての下枠部、５７…内壁スタッド、５７Ａ…内壁スタッドとしての柱沿いスタッド、５７Ｂ…内壁スタッドとしての短尺スタッド、５８…開口沿いスタッドとしての窓沿いスタッド、６１…連結部材、６２…スタッド側固定部、６２ａ…スタッド側孔、６３…柱側固定部、６３ａ…柱側孔、６８…突出部分。
【図１】
2015094145.tif 000003
【図２】
2015094145.tif 000004
【図３】
2015094145.tif 000005
【図４】
2015094145.tif 000006
【図５】
2015094145.tif 000007